(57)【要約】      （修正有）【課題】吸収性物品の製造速度を落とすことなく、テープの表示部が薄くなったり消えたりすることを防止することができる吸収性物品を提供する。【解決手段】吸収性物品１は、吸収性物品１の外装を構成する包装シート７０と、包装シート７０に取り付けられたテープ７５と、を有する。テープ７５は、剥離層と、粘着層と、剥離層と粘着層との間に設けられ、発色材を含むフィルム層と、を有する。テープ７５は、発色材を含むフィルム層にレーザを照射することによって付与された、吸収性物品１の種別を示す表示部６３を含む。【選択図】図２
0003217051.tif 000002
【実用新案登録請求の範囲】
【請求項１】
吸収性物品の外装を構成する包装シートと、
前記包装シートに取り付けられたテープと、を有し、
前記テープは、剥離層と、粘着層と、前記剥離層と前記粘着層との間に設けられ、発色材を含むフィルム層と、を有し、
前記テープは、前記発色材を含むフィルム層にレーザを照射することによって付与された、前記吸収性物品の種別を示す表示部を含む、吸収性物品。
【請求項２】
前記テープは、前記レーザの照射を行う製造ラインと同じ製造ライン上で個別に切断されることによって形成される、請求項１に記載の吸収性物品。
【考案の詳細な説明】
【技術分野】
【０００１】
本考案は、パンティライナー、失禁パッド及び生理用ナプキンのような吸収性物品と、吸収性物品の製造方法に関する。
【背景技術】
【０００２】
パンティライナー、失禁パッド及び生理用ナプキンのような吸収性物品が知られている（特許文献１）。特許文献１に記載の吸収性物品は、個別に包装シートに包まれる。包装シートの端部は、粘着テープによって包装シートの一部と貼着される。これにより、包装シートが自然に開かないようになっている。また、特許文献１は、吸収性物品の吸収性能に対応付けられた性能表示部を粘着テープに設けることを開示している。性能表示部は、表示要素の内容によって吸収性物品の吸収性能を示す絵柄及び／又は記号から構成されている。
【先行技術文献】
【特許文献】
【０００３】
【特許文献１】特開２０１２−１１６４９３号公報
【考案の概要】
【考案が解決しようとする課題】
【０００４】
特許文献１に記載されているように、粘着テープに絵柄及び／又は記号を付すことがある。その代わりに、粘着テープに、吸収性物品の種別を特定する文字を付すことも考えられる。
【０００５】
このような吸収性物品を製造する場合、通常、所望の文字、絵柄及び／又は記号が周期的に付された長尺の粘着テープが予め用意される。そして、長尺の粘着テープは、吸収性物品の製造ライン上で、個々の吸収性物品ごとに個別に切断される。個別に切断された粘着テープは、吸収性物品の外装を構成する包装シートに貼り付けられる。
【０００６】
ここで、テープに周期的に表示部を付与するステップが、テープを個別に切断するステップと異なる製造ライン上で実施されると、テープを切断する予定の切断予定位置を避けた適切な領域に表示部を付与することが難しい。そのため、テーピを切断したときに、文字、絵柄、記号等の表示部が、その途中で分断されてしまうことがある。
【０００７】
したがって、テープに表示部を付与するステップは、テープを個別に切断するステップと同じライン上、すなわち吸収性物品の製造ライン上で実施されることが好ましい。吸収性物品の製造ラインでは、高速で多数の吸収性物品が製造されている。したがって、吸収性物品の製造ライン上でテープに表示部を付与するステップを実施する場合、テープに高速で表示部を付与することが望まれる。
【０００８】
テープに表示部を付す手段の１つとしてエンボス加工があるが、エンボス加工は加工スピードが比較的遅い。そのため、吸収性物品の製造スピードに限界が生じてしまう。
【０００９】
テープに表示部を付す手段の別の１つとしてインクジェット印刷によりテープの表面に表示部を付すことも考えられる。しかしながら、吸収性物品は、鞄などに入れて持ち運ぶことがあるため、テープの表面の表示部が擦れて薄くなったり消えたりすることもあり得る。
【００１０】
そこで、吸収性物品の製造速度を落とすことなく、テープの表示部が薄くなったり消えたりすることを防止することができる吸収性物品、及びその製造方法が望まれる。
【課題を解決するための手段】
【００１１】
一態様に係る吸収性物品は、吸収性物品の外装を構成する包装シートと、前記包装シートに取り付けられたテープと、を有し、前記テープは、剥離層と、粘着層と、前記剥離層と前記粘着層との間に設けられ、発色材を含むフィルム層と、を有し、前記テープは、前記発色材を含むフィルム層にレーザを照射することによって付与された、前記吸収性物品の種別を示す表示部を含む。
【考案の効果】
【００１２】
本考案によれば、吸収性物品の製造速度を落とすことなく、吸収性物品の製造ライン上でテープに所望の表示部を付すことができる。また、テープの表示部が薄くなったり消えたりすることを防止することができる。
【図面の簡単な説明】
【００１３】
【図１】図１は、展開された状態の吸収性物品の平面図である。
【図２】図２は、吸収性物品の折り畳みを説明する斜視図である。
【図３】図３は、折り畳まれて包装シートに包まれた状態の吸収性物品の平面図である。
【図４】図４は、包装シートに取り付けられるテープの一例を示す断面図である。
【図５】図５は、包装シートに取り付けられるテープの別の例を示す断面図である。
【図６】図６は、第１の実施形態に係る吸収性物品の製造方法を示すフローチャートである。
【図７】図７は、第２の実施形態に係る吸収性物品の製造方法を示すフローチャートである。
【考案を実施するための形態】
【００１４】
以下、図面を参照して、一実施形態に係る吸収性物品ついて説明する。本考案の吸収性物品は、パンティーライナー（おりものシート）や生理用ナプキンや失禁パッド等の任意の吸収性物品であってもよい。以下の実施形態では、吸収性物品の一例として、生理用ナプキンについて説明する。
【００１５】
なお、以下の図面の記載において、同一又は類似の部分には、同一又は類似の符号を付している。ただし、図面は模式的なものであり、各寸法の比率等は現実のものとは異なることがあることに留意すべきである。したがって、具体的な寸法等は、以下の説明を参酌して判断すべきである。また、図面相互間においても互いの寸法の関係や比率が異なる部分が含まれ得る。
【００１６】
（１）吸収性物品の構成
図１は、展開された状態の吸収性物品の平面図である。図２は、吸収性物品の折り畳み方を説明する斜視図である。図３は、折り畳まれて包装シートに包まれた状態の吸収性物品の平面図である。
【００１７】
吸収性物品１は、中央領域Ｓ１、前方領域Ｓ２及び後方領域Ｓ３を有する。中央領域Ｓ１は、着用者の股下に配置される領域であり、着用者の排泄口、例えば膣口に対向する領域である。前方領域Ｓ２は、吸収性物品１の長手方向Ｌにおいて、中央領域Ｓ１よりも前側に設けられている。後方領域Ｓ３は、吸収性物品１の長手方向Ｌにおいて、中央領域Ｓ１よりも後側に設けられている。
【００１８】
吸収性物品１は、表面シート、裏面シート及び吸収体３０を有する。表面シートは、体液等の液体を透過する液透過性のシートであり、着用者の肌に当接する。裏面シートは、液体を透過しない液不透過性のシートである。吸収体３０は、表面シートと裏面シートとの間に設けられる。吸収体３０は、図１において破線で示される。
【００１９】
本実施形態では、吸収性物品１は、吸収性物品１の長手方向Ｌに直交する吸収体３０の幅方向Ｗ外側に突出したウイング部４３，４４を備える。ウイング部４３，４４は、中央領域Ｓ１に設けられている。この代わりに、吸収性物品１は、ウイング部４３，４４を備えていなくてもよい。
【００２０】
吸収性物品１の裏面シートの、着用者の肌とは反対に向けられる面には、包装シート７０が設けられている。吸収性物品１及び包装シート７０には、折り線Ｌ１及びＬ２が設けられている。折り線Ｌ１，Ｌ２は、吸収性物品１の幅方向Ｗに沿って延びている。吸収性物品１は、ウイング部４３，４４が内側に折り曲げられた後に、折り線Ｌ１，Ｌ２に沿って三つ折りにされる（図２参照）。包装シート７０は、吸収性物品１が折り畳まれた状態で、吸収性物品１の外装を構成する（図３参照）。すなわち、吸収性物品１の表面シート、裏面シート及び吸収体３０等は、包装シート７０で包まれた状態になる。
【００２１】
包装シート７０には、テープ７５が取り付けられている。テープ７５は、包装シート７０に対して着脱可能な粘着テープであってよい。吸収性物品１が折り畳まれた状態で、テープ７５は、包装シート７０の長手方向Ｌにおける一方の端部と、包装シート７０の別の部分とに跨がっている。これにより、吸収性物品１及び包装シート７０が自然に展開されないようになっている。
【００２２】
テープ７５には表示部６３が設けられている。表示部６３は、吸収性物品１の種別を表す文字、絵柄及び／又は記号から構成される。例えば、表示部６３は、吸収性物品１の長手方向Ｌの長さを表す数値から構成されていてもよい。例えば、図１〜３では、テープ７５に付された「２９０」という数値により、吸収性物品１の長さが２９０ｃｍであることを示している。なお、図１，２では、数字の一部が包装シート７０の裏側に隠れて見えていないことに留意されたい。長さを表す数値の代わりに、表示部６３は、排泄量の多いとき又は少ないときに用いるべき吸収性物品であることを表す「夜用」又は「昼用」の文字から構成されていてもよい。この代わりに、表示部６３は、ウイング部４３，４４の有無を表す「羽あり」又は「羽なし」という文字から構成されていてもよい。この代わりに、表示部６３は、吸収性物品１の吸収量を表す数値、例えば「８０ｃｃ」又は「１２０ｃｃ」等から構成されていてもよい。また、表示部６３は、文字（数値を含む）に限らず、吸収性物品の種別を想起させる記号や模様であってもよい。さらに、表示部６３は、前述の文字、記号、模様の任意の組み合わせから構成されていてもよい。
【００２３】
使用者は、テープ７５に付された表示部６３を見ることによって、吸収性物品１を展開することなく、吸収性物品１の種別を把握することができる。例えば、吸収性物品１を個別に保管したり、吸収性物品１を個別に持ち運んだりする場合であっても、使用者は、吸収性物品１を展開することなく、特定の種別の吸収性物品１を選択することができる。また、吸収性物品１の種別を把握するために吸収性物品１を展開する必要がないため、吸収性物品１を清潔に維持することができる。
【００２４】
図４は、包装シート７０に取り付けられるテープ７５の構成の一例を示す断面図である。テープ７５は、剥離層８０と、粘着層８１と、発色材を含むフィルム層８２と、を有する。剥離層８０は、例えば、シリコーン樹脂から形成される。剥離層８０は、テープ７５の表面側に露出する。テープ７５の粘着層８１が包装シート７０に付着される。
【００２５】
フィルム層８２は、剥離層８０と粘着層８１との間に設けられている。図４に示す例では、フィルム層８２は、第１フィルム層８３と、発色材層８４と、第２フィルム層８５と、を有する。発色材層８４は、発色材を含んでいればよく、例えば発色材を含むインキ層であってよい。
【００２６】
図５は、包装シート７０に取り付けられるテープ７５の構成の別の一例を示す断面図である。テープ７５は、剥離層８０と、粘着層８１と、発色材を含むフィルム層８２と、を有する。剥離層８０は、例えば、シリコーン樹脂から形成される。図５に示す例では、フィルム層８２は、発色材を含んでいる。具体的には、フィルム層８２は、例えば、フィルム層８２を構成する樹脂材料中に発色材を混入させることによって形成される。このようなフィルム層８２は、例えば、溶融した樹脂材料中に発色材を混ぜた後に、樹脂材料を硬化させることによって形成できる。
【００２７】
図５に示す構成のテープは、図４に示すような発色材層８４を有しておらず、発色材はフィルム層８２中に含有されている。フィルム層８２が発色材層を含む複数の層から構成されていないため、粘着層８１を剥がすときに層間剥離し難いという利点が得られる。
【００２８】
前述の発色材は、レーザ照射により発色する材料である。発色材は、例えば感熱材から構成されていてもよい。テープ７５に付された表示部６３は、レーザ照射によって発色した発色材によって形成される。発色材は、比較的低温で発色する低温発色材であることが好ましい。この場合、比較的低エネルギーのレーザにより発色材を発色させることができるため、レーザ照射によるテープの破損を抑制できる。比較的低エネルギーのレーザにより発色する発色材として、ロイコ染料を挙げることができる。また、発色材として、ロイコ染料とともに顕色剤を付加してもよい。
【００２９】
ロイコ染料としては、例えば、３−イソペンチルエチルアミノ−６−メチル−７−アニリノフルオラン、３−ジペンチルアミノ−６−メチル−７−アニリノフルオラン、３−ジエチルアミノ−６−メチル−７−アニリノフルオラン、３−ジエチルアミノ−７−（ｍ−トリフルオロメチルアニリノ）フルオラン、３−（Ｎ−エチル−ｐ−トルイジノ）−７−アニリノフルオラン、３−ジブチルアミノ− ６−メチル−７−アニリノフルオランのようなものが挙げられる。
【００３０】
顕色剤としては、４，４'−ジヒドロキシジフェニルスルホン、２，４'−ジヒドロキシジフェニルスルホン、４−ヒドロキシ−４'−イソプロポキシジフェニルスルホン、ビス（３−アリル−４−ヒドロキシフェニル）スルホン、ｐ−ヒドロキシ安息香酸ベンジルエステル等が挙げられる。
【００３１】
（２）吸収性物品の製造方法
吸収性物品１を構成する表面シート、裏面シート、吸収体、包装シートは、従来の製造方法と同様に製造できる。例えば、表面シートを構成する連続ウェブを搬送しつつ、連続ウェブ上に複数の吸収体を搬送方向に間隔をおいて配置する。その後、連続ウェブ上に、裏面シートを構成する連続ウェブを配置することによって、複数の吸収性物品が連なった連続体が形成される。連続体は、各々の吸収性物品毎に切断され、包装シート７０及びテープ７５が吸収性物品に取り付けられる。
【００３２】
なお、同一の製造ラインで、様々な種別の吸収性物品を製造することができることに留意するべきである。例えば、ウイング部４３，４４を設けるステップを実行すればウイング部４３，４４を有する吸収性物品を製造できる。そして、ウイング部４３，４４を設けるステップを停止すれば、同一の製造ラインで、ウイング部４３，４４を有しない吸収性物品を製造可能である。
【００３３】
以下では、吸収性物品１の製造方法について図６を用いて詳しく説明する。図６は、第１の実施形態に係る吸収性物品の製造方法を示すフローチャートである。本実施形態に係る吸収性物品の製造方法では、まず、長尺のテープ７５を準備する。テープ７５は、前述したように、剥離層８０と、粘着層８１と、剥離層８０と粘着層８１との間に設けられたフィルム層８２と、を有する。フィルム層８２は、発色材を含んでいる。ただし、この段階では、テープ７５に、吸収性物品の種別を示す表示部６３は設けられていない。
【００３４】
長尺のテープ７５は、巻き回された状態で準備される。このとき、テープ７５の剥離層８０が粘着層８１に粘着しており、粘着層８１を保護している。長尺のテープ７５は、吸収性物品１の製造ラインと同一のライン上に設置される。後述する各ステップは、長尺のテープ７５を引き出しつつ行われる。
【００３５】
次に、引き出されたテープ７５の、発色材を含むフィルム層８２にレーザを照射することによって、吸収性物品１の種別を示す表示部６３をテープ７５に付与する（表示付与ステップ）。具体的には、テープ７５の搬送方向に複数の表示部６３が繰り返し形成される。レーザの照射により発色材が発色する。レーザを所望の形状で照射することにより、製造する吸収性物品の種別を表す表示部６３を形成することができる。
【００３６】
レーザは、剥離層８０側から照射することが好ましい。レーザは、剥離層８０を透過してフィルム層８２に達する。そのため、フィルム層８２に与えられるレーザからのエネルギーは低下する。この場合であっても、発色材として比較的低温で発色する低温発色材を用いることで、レーザの出力（エネルギー）を過度に増大させることなく、発色材を発色させることができる。これにより、レーザによるテープ７５の損傷を抑制しつつ、表示部６３を鮮明に形成することができる。
【００３７】
製造する吸収性物品の種別を変更する場合、レーザ装置の設定を変更するだけで、表示部６３を構成する文字、記号、模様等を容易に変更することができる。すなわち、製造する吸収性物品の種別に応じて、製造ラインに設置した長尺のテープ７５を別のテープに取り替える必要はない。
【００３８】
次に、表示付与ステップを行う製造ラインと同じ製造ライン上でテープ７５を個別に切断する（切断ステップ）。テープ７５の切断位置は、互いに隣接する表示部６３どうしの間に位置決めされる。同じ製造ライン上で表示付与ステップと切断ステップを実行しているため、表示付与ステップにおける表示部６３を形成する周期とテープ７５の切断位置の周期とを容易に一致させることができる。
【００３９】
そして、吸収性物品１の外装を構成する包装シート７０にテープ７５を取り付ける（テープ取り付けステップ）。なお、包装シート７０へのテープ７５の取り付けは、テープ７５を個別に切断した後に行ってもよく、テープ７５を個別に切断するとともに行ってもよい。
【００４０】
図７は、第２の実施形態に係る吸収性物品の製造方法を示すフローチャートである。第１の実施形態と同様の事項については、説明を省略することがある。本実施形態に係る吸収性物品の製造方法では、まず、長尺のテープ７５を準備する。準備するテープ７５は、第１の実施形態と同様である。後述する各ステップは、長尺のテープ７５を引き出しつつ行われる。
【００４１】
次に、長尺のテープ７５を個別に切断する（切断ステップ）。次に、切断された各々のテープ７５の、発色材を含むフィルム層８２にレーザを照射することによって、吸収性物品１の種別を示す表示部６３をテープ７５に付与する（表示付与ステップ）。レーザは、剥離層８０側から照射することが好ましい。レーザをテープ７５に照射するタイミングは、個別に切断されたテープ７５の位置に位置決めされる。同じ製造ライン上で表示付与ステップと切断ステップを実行しているため、表示付与ステップにおける表示部６３を形成する周期とテープ７５の切断位置の周期とを容易に一致させることができる。
【００４２】
次に、吸収性物品１の外装を構成する包装シート７０にテープ７５を取り付ける（テープ取り付けステップ）。なお、本実施形態では、包装シート７０へテープ７５を取り付ける前に、表示付与ステップを行っている。これに代えて、表示付与ステップは、包装シート７０へテープ７５を取り付けた後に行ってもよい。
【００４３】
（３）作用・効果
一実施形態によれば、テープ７５のフィルム層８２に含まれる発色材にレーザを照射することによって、テープ７５に表示部６３が付与される。レーザは高速で加工することができるため、テープ７５に高速に表示部６３を形成することができる。そのため、吸収性物品の製造ラインと同一のライン上で表示付与ステップを行ったとしても、吸収性物品１の製造速度を落とすことなく吸収性物品１を製造することができる。また、表示部６３が複雑な文字や図形から構成される場合であっても、レーザによって表示部６３を鮮明に形成することができる。
【００４４】
一実施形態によれば、レーザ照射により発色する発色材は少なくとも剥離層８０と粘着層８１との間に挟まれている。そのため、吸収性物品１を個別に持ち運ぶ際にテープ７５がバッグ等と擦れたとしても、吸収性物品１の種別を示す表示部６３が薄くなったり消えたりすることを防止することができる。
【００４５】
一実施形態によれば、吸収性物品１を製造する際、表示付与ステップを行う製造ラインと同じ製造ライン上でテープ７５を個別に切断するステップが実施される。そのため、テープに付与する表示部６３を、テープ７５を切断するカット位置を避けた適切な領域に確実に付与することができる。これにより、吸収性物品１の種別を表す表示部６３が、その途中で分断されてしまうことを抑制できる。
【００４６】
（４）その他の実施形態
上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。従って、本明細書の記載は、例示説明を目的とするものであり、本考案に対して何ら制限的な意味を有するものではない。
【００４７】
例えば、テープに表示部を形成する上記方法は、おむつの廃棄用のテープ等にも適用することが可能である。前述した考案が解決しようとする課題は、このような廃棄用のテープ等にも存在し得る。したがって、本考案をおむつの廃棄用のテープに適用することによって、上述した利点が得られることは言うまでもない。
【符号の説明】
【００４８】
１      吸収性物品
６３    表示部
７０    包装シート
７５    テープ
８０    剥離層
８１    粘着層
８２    発色材を含むフィルム層
８３    第１フィルム層
８４    発色材層
８５    第２フィルム層
【図１】
0003217051.tif 000003
【図２】
0003217051.tif 000004
【図３】
0003217051.tif 000005
【図４】
0003217051.tif 000006
【図５】
0003217051.tif 000007
【図６】
0003217051.tif 000008
【図７】
0003217051.tif 000009